(57)【特許請求の範囲】
【請求項１】
音響補償サービスを提供するサービス提供サーバが、
（０）音響機器による音響特性をデータベースに格納する段階；
（１）スマート機器から音響機器の情報及び音響設定情報の入力を受ける段階；
（２）前記入力を受けた音響機器の音響特性を検索する段階；及び
（３）前記音響特性及び音響設定情報による補償信号を前記スマート機器に転送する段階を含み、
前記スマート機器は、
前記補償信号によって前記音響機器の出力変数を補償し、
前記音響設定情報が、使用者が希望する音色に関する情報を含むことにより、前記音響機器から出力される音色を他の特定の音響機器の音色に似させることができることを特徴とするスマート機器を用いた音響機器の特性に対する補償サービスの提供方法。
【請求項２】
前記音響機器は、
前記スマート機器に内蔵されたスピーカ、イヤホン、ヘッドホン、または外部スピーカのうち、少なくとも一つ以上を含むことを特徴とする請求項１に記載のスマート機器を用いた音響機器の特性に対する補償サービスの提供方法。
【請求項３】
前記段階（１）は、
（１−１）前記スマート機器に音響機器リストを転送する段階；及び
（１−２）前記スマート機器から前記リストのうち少なくともいずれか一つの入力を受ける段階を含むことを特徴とする請求項１に記載のスマート機器を用いた音響機器の特性に対する補償サービスの提供方法。
【請求項４】
前記段階（１）で入力を受ける音響機器の情報は、音響機器の製造社及び製品名であることを特徴とする請求項１に記載のスマート機器を用いた音響機器の特性に対する補償サービスの提供方法。
【発明の詳細な説明】
【技術分野】
【０００１】
本発明は、音響補償サービスの提供方法に関するものであって、より詳しくは、スマート機器を用いた音響機器の特性に対する補償サービスの提供方法に関するものである。
【背景技術】
【０００２】
近年、各種個人用情報通信機器の発達と共に、これを用いて音楽コンテンツの鑑賞、マルチメディアコンテンツの鑑賞などの文化生活を楽しめるようになった。現代の多くの人々は多数の音響再生装置に触れながら生活しているが、代表的なものとしては、ＴＶ、ＡＭ−ＦＭ  Ｒａｄｉｏ、ＣＤプレーヤー、ＭＰ３プレーヤー、オーディオ、ＰＣ及び語学再生機などを挙げられる。
【０００３】
一方、このような各種音響再生装置または音響機器によって出力される音響は、音響機器の特性などによって実際の音響とは違うように出力されることもある。周波数応答特性を例を挙げると、各種音響再生装置または音響機器により歪曲された音を補償するために、イコライザー（ｅｑｕａｌｉｚｅｒ，等化器）が使用される。
イコライザーは、周波数の特性を改善するために用いられるものであって、何らかの原因で均一でない周波数特性を有した信号を本来の周波数特性に戻す機器を意味する。例えば、音響特性によって低音域が強調されて聞こえるホールでは、低音域を弱く流すと聴衆には均一に聞こえるが、このような操作をイコライジング（ｅｑｕａｌｉｚｉｎｇ）、その機器をイコライザーと呼ぶ。
【０００４】
一方、音響機器は機器自体の様々な特性によって互いに異なる出力特性を有する。しかし、従来のイコライザーやイコライザープログラムは、このような機器特性を十分に考慮できないという限界がある。
また、最近スマート機器などの各種音響の再生が可能な機器が大衆化されているので、別途の携帯用音響再生装置を携帯しなくても、音楽を聞くことやマルチメディアコンテンツを鑑賞することができるが、これら装置自体の音響特性を考慮するための装置またはプログラムは今まで開発されていないのが実情である。
【０００５】
それだけでなく、より向上された音質を望む使用者は高価なイヤホンやヘッドホン、スピーカなどをこのようなスマート機器に連結して使用することもあるが、このようなイヤホン、ヘッドホン、スピーカなどの音響機器の音響特性は一般人としてはいちいち考慮し難く、たとえ音響機器の音響特性を知るとしても個別製品の特徴による精巧な補償が可能なイコライザーも開発されていないという限界がある。
よって、スマート機器の使用者が増え、高音質に対する要請が多くなることにより、各種音響機器の個別的な特性を考慮できるスマート機器のための音楽再生プログラムの開発が急がれている。
【発明の概要】
【発明が解決しようとする課題】
【０００６】
本発明は、既存の方法の上記のような問題点を解決するために提案されたものであって、サービス提供サーバがスマート機器から音響機器の情報の入力を受け、音響特性を検索して音響特性による補償信号をスマート機器に転送することにより、音響機器による出力特性を考慮してイコライジングを行うことができ、使用者が音響機器の音響特性を直接把握しなくても使用者が使用している音響機器の音響特性による音響補償サービスを提供されることができるので、使いやすい、スマート機器を用いた音響機器の特性に対する補償サービスの提供方法を提供することをその目的とする。
【０００７】
また、本発明は、スマート機器から音響設定情報の入力を受けて音響特性及び音響設定情報による補償信号をスマート機器に転送することにより、使用者の好みに合う音響設定情報を用いて補償信号を転送しながら、音響機器の音響特性が反映されるようにして同一な音長効果（Ａｒｔｉｆｉｃｉａｌ  Ｓｏｕｎｄ  Ｆｉｅｌｄ）を適用しても音響機器の個別的な特性を反映するので、事実的な音色の変化及び空間に対する表現が可能な、スマート機器を用いた音響機器の特性に対する補償サービス提供方法を提供することを他の目的とする。
【課題を解決するための手段】
【０００８】
上記の目的を達成するための本発明の特徴によるスマート機器を用いた音響機器の特性に対する補償サービスの提供方法は、音響補償サービスを提供するサービス提供サーバが、
（１）スマート機器から音響機器の情報の入力を受ける段階；
（２）前記入力を受けた音響機器の音響特性を検索する段階；及び
（３）前記音響特性による補償信号を前記スマート機器に転送する段階を含むことをその構成上の特徴とする。
【０００９】
好ましくは、（０）音響機器による音響特性をデータベースに格納する段階を更に含むことができる。
【００１０】
好ましくは、前記音響機器は、前記スマート機器に内蔵されたスピーカ、イヤホン、ヘッドホン、または外部スピーカのうち、少なくとも一つ以上を含むことができる。
【００１１】
好ましくは、前記段階（１）は、（１−１）前記スマート機器に音響機器リストを転送する段階；及び
（１−２）前記スマート機器から前記リストのうち少なくともいずれか一つの入力を受ける段階を含むことができる。
【００１２】
好ましくは、前記段階（１）で入力を受ける音響機器の情報は音響機器の製造社及び製品名であり得る。  
【００１３】
好ましくは、前記スマート機器には、音響機器の特性による補償を行うためのアプリケーションプログラムをインストールすることができる。
【００１４】
さらに好ましくは、前記アプリケーションプログラムは、前記補償信号によって前記音響機器の出力変数を補償することができる。
【００１５】
好ましくは、前記スマート機器から音響設定情報の入力を受ける段階をさらに含み、前記段階（３）では、前記音響特性及び前記音響設定情報による補償信号を前記スマート機器に転送することができる。
【発明の効果】
【００１６】
本発明で提案するスマート機器を用いた音響機器の特性に対する補償サービスの提供方法によると、サービス提供サーバがスマート機器により音響機器の情報の入力を受け、音響特性を検索して音響特性による補償信号をスマート機器に転送することにより、音響機器による出力特性を考慮してイコライジングを行うことができ、使用者が音響機器の音響特性を直接把握しなくても、使用者が使用している音響機器の音響特性による音響補償サービスを提供されることができるので、便利に使用できる。
【００１７】
また、本発明によると、スマート機器から音響設定情報の入力を受けて音響特性及び音響設定情報による補償信号をスマート機器に転送することにより、使用者の好みに合うように音響設定情報を用いて補償信号を転送しながら、音響機器の音響特性が反映されるようにして同一な音長効果（Ａｒｔｉｆｉｃｉａｌ  Ｓｏｕｎｄ  Ｆｉｅｌｄ）を適用しても音響機器の個別的な特性を反映するので、事実的な音色の変化及び空間に対する表現が可能である。
【図面の簡単な説明】
【００１８】
【図１】本発明の一実施例によるスマート機器を用いた音響機器の特性に対する補償サービスの提供方法を具現するためのシステムの構成を示した図面である。
【図２】本発明の一実施例によるスマート機器を用いた音響機器の特性に対する補償サービスの提供方法を具現するためのシステムにおいて、サービス提供サーバの細部的な構成を示した図面である。
【図３】本発明の一実施例によるスマート機器を用いた音響機器の特性に対する補償サービスの提供方法の流れを示した図面である。
【図４】本発明の一実施例によるスマート機器を用いた音響機器の特性に対する補償サービスの提供方法において、段階Ｓ２００の細部的な流れを示した図面である。
【図５】本発明の一実施例によるスマート機器を用いた音響機器の特性に対する補償サービスの提供方法において、段階Ｓ２００が行われるスマート機器を示した図面である。
【図６】本発明の一実施例によるスマート機器を用いた音響機器の特性に対する補償サービスの提供方法において、補償信号により音響データが出力されるスマート機器を示した図面である。
【発明を実施するための形態】
【００１９】
以下、添付された図面を参照して本発明の属する技術分野において通常の知識を有する者が本発明を容易に実施することができるように好ましい実施例を詳しく説明する。
但し、本発明の好ましい実施例を詳細に説明するに当たって、関連する公知機能或いは構成についての具体的な説明が本発明の旨を不明確にすると判断される場合には、その詳細な説明を省略する。また、類似した機能及び作用をする部分については、図面全体において同一の符号を使用する。  
【００２０】
なお、明細書全般において、ある部分が他の部分と「連結」されているというのは、「直接的に連結」されている場合だけでなく、その中間に他の素子を介して「間接的に連結」されている場合も含む。また、ある構成要素を「含む」というのは、反対の記載が特に無ければ、他の構成要素を除くのではなく、他の構成要素をさらに含むことができるということを意味する。
【００２１】
図１は本発明の一実施例によるスマート機器２００を用いた音響機器３００の特性に対する補償サービスの提供方法を具現するためのシステムの構成を示した図面である。
図１に示されるように、本発明の一実施例によるスマート機器２００を用いた音響機器３００の特性に対する補償サービスの提供方法を具現するためのシステムは、サービス提供サーバ１００、スマート機器２００及び音響機器３００を含めて構成することができる。
【００２２】
すなわち、サービス提供サーバ１００はネットワークを介して接続したスマート機器２００から音響機器３００の情報の入力を受け、入力を受けた音響機器３００の音響特性をデータベース１２０で検索し、音響特性による補償信号を生成してスマート機器２００に転送することができる。
スマート機器２００はサービス提供サーバ１００が転送する補償信号を用いて音響機器３００の出力変数を補償することにより、音響機器３００を通じて補償された音響が出力されるようにすることができる。よって、本発明を利用すると、既存のイコライザーとは違って、音響機器３００による出力特性を考慮してイコライジングを行うことができる。また、使用者が自分の使用している音響機器３００の音響特性を直接把握しなくても、サービス提供サーバ１００がスマート機器２００から音響機器３００の情報の入力を受けることで使用者に音響補償サービスを提供することができるので、便利に使用することができ、音質も優秀である。
【００２３】
また、本発明では、スマート機器２００から音響設定情報の入力を受け、音響特性及び音響設定情報による補償信号をスマート機器２００に転送することにより、使用者の好みに合うようにイコライジングを行うことができる。よって、本発明を用いて音響機器３００の特性を反映することができるだけでなく、使用者個人の好みも反映することができるので使用者の満足度を向上させることができ、再生対象となる音楽コンテンツやマルチメディアコンテンツによって音響を再設定することができるという長所がある。
以下では、本発明の一実施例によるスマート機器２００を用いた音響機器３００の特性に対する補償サービスの提供方法を具現するためのシステムを構成する各構成要素について詳細に説明する。
【００２４】
サービス提供サーバ１００は、音響補償サービスを提供するサーバであって、インタネット、イントラネット、移動通信網などを含む有無線ネットワークを介したスマート機器２００の接続を許容し、音響機器３００の特性による補償サービスを提供することができる。即ち、サービス提供サーバ１００は、多様な音響機器３００による音響特性を格納し、スマート機器２００から音響機器３００の情報の入力を受けると、該当音響機器３００の音響特性を検索して音響特性による補償信号をスマート機器２００に転送することができる。サービス提供サーバ１００の細部的な構成については、後ほど図２を参照して詳細に説明する。
【００２５】
スマート機器２００は、サービス提供サーバ１００が提供する音響補償サービスを利用しようとする使用者の端末機である。スマート機器２００は機能が制限されておらず、アプリケーションプログラムを通じて相当部分の機能を変更または、拡張できる製品を示すものであって、スマートホン、タブレットＰＣ、スマートＴＶなどが挙げられる。
但し、本発明のスマート機器２００は通信手段及び音響出力装置が備えられた個人用情報通信機器を意味するものであって、本発明のスマート機器２００が上で並べたような端末機の形態に限定されるのではなく、ネットワークを介してサービス提供サーバ１００に接続して音響機器３００の情報を転送し、補償信号の転送を受け、音響データやマルチメディアデータのオーディオ部分に対して補償された音響出力をすることができれば、具体的な端末機の形態とは関係なく本発明のスマート機器２００の役割はいくらでもできる。
【００２６】
一方、本発明のスマート機器２００には、音響機器３００の特性に対する補償を行うためのアプリケーションプログラムがインストールできる。即ち、使用者はアプリケーションプログラムをインストール及び実行することにより、さらに便利に本発明を利用することができる。また、スマート機器２００にインストールされたアプリケーションプログラムは、サービス提供サーバ１００から転送を受けた補償信号によって音響機器３００の出力変数を補償して出力することができる。
【００２７】
音響機器３００は、音響出力のための装置であって、スマート機器２００に格納されるか、ストリミングサービスなどによりスマート機器２００で再生される音響データやマルチメディアデータのオーディオ部分を外部へ出力するための構成である。
図１に示されるように、音響機器３００は、スマート機器に内蔵されたスピーカ３００ａであり得るが、スマート機器２００に連結して音響を出力できるイヤホン３００ｂ、ヘッドホン３００ｃ、外部スピーカ３００ｄなどでもあり得る。本発明の音響機器３００は、その他にも音響出力のための多様なデバイスであり得るが、各音響機器３００は製品によって、固有の音響特性を持つことができる。
【００２８】
図２は、本発明の一実施例によるスマート機器２００を用いた音響機器３００の特性に対する補償サービスの提供方法を具現するためのシステムにおいて、サービス提供サーバ１００の細部的な構成を示した図面である。
図２に示されるように、本発明の一実施例によるスマート機器２００を用いた音響機器３００の特性に対する補償サービスの提供方法を具現するためのシステムのサービス提供サーバ１００は、送受信部１１０、データベース１２０、検索部１３０及び補償信号生成部１４０を含めて構成することができる。
【００２９】
送受信部１１０は、有無線ネットワークを介してスマート機器２００の接続を許容し、各種情報及びデータを送信または受信することができる。即ち、スマート機器２００から音響機器３００の情報の入力を受け、音響特性による補償信号をスマート機器２００に転送することができ、スマート機器２００から入力を受けた音響設定情報による補償信号をスマート機器２００に転送することもできる。この時、送受信部１１０は、複数のスマート機器２００と通信を行うこともできる。
【００３０】
データベース１２０は、音響機器３００による音響特性を格納することができる。音響機器３００は、機器別の特性があるが、出力周波数領域による音の大きさが機器別に異なるため、音響機器３００毎に明るい音が出るとか、低音が切られるとか、中音が目立つなどの特性が表れる。
データベース１２０はこのような音響機器３００による音響特性を格納することにより、使用者が自分が使用している音響機器３００の特性をいちいち把握してサービス提供サーバ１００に入力しなくても、サービス提供サーバ１００が音響機器３００の音響特性を把握することができる。
一方、データベース１２０に格納された音響特性は、周期的にまたは使用者やサービス提供サーバ１００運営者の要請に応じてアップデートすることによって、新たな音響機器３００に対する音響特性を追加し、格納された情報の誤謬を修正することができる。
【００３１】
検索部１３０は、送受信部１１０でスマート機器２００から入力を受けた音響機器３００の情報に該当する音響機器３００の音響特性をデータベース１２０で検索することができる。検索部１３０は送受信部から入力を受けた音響機器３００の情報が複数であれば複数の音響特性を全て検索することができ、検索した音響特性を補償信号生成部１４０に伝達することができる。
【００３２】
補償信号生成部１４０は、検索部１３０から伝達を受けた音響特性による補償信号を生成して送受信部１１０に伝達することにより、送受信部１１０がスマート機器２００に補償信号を転送させることができる。また、補償信号生成部１４０は、スマート機器２００から入力を受けた音響設定情報を送受信部１１０から伝達を受けて音響設定情報による補償信号を生成して送受信部１１０に伝達することもできる。特に、音響設定情報の入力を受けた場合には、音響特性と音響設定を全て考慮して補償信号を生成することもできる。
【００３３】
図３は、本発明の一実施例によるスマート機器２００を用いた音響機器３００の特性に対する補償サービスの提供方法の流れを示した図面である。
図３に示されるように、本発明の一実施例によるスマート機器２００を用いた音響機器３００の特性に対する補償サービスの提供方法は、スマート機器２００により音響機器３００の情報の入力を受ける段階Ｓ２００、入力を受けた音響機器３００の音響特性を検索する段階Ｓ３００及び音響特性による補償信号をスマート機器２００に転送する段階Ｓ５００を含めて具現することができ、音響機器３００による音響特性をデータベース１２０に格納する段階Ｓ１００及びスマート機器２００から音響設定情報の入力を受ける段階Ｓ４００を更に含めて具現することができる。
【００３４】
段階Ｓ１００では、サービス提供サーバ１００が音響機器３００による音響特性をデータベース１２０に格納することができる。例えば、人の可聴周波数は、２０Ｈｚから２０ｋＨｚであるが、音響機器３００によっては、同一の周波数領域であっても出力する音が互いに異なる場合もある。
段階Ｓ１００では、サービス提供サーバ１００のデータベース１２０が音響機器３００による多様な音響特性を格納することにより、音響機器３００の製品名を知ると、該当音響機器３００の音響特性を把握することができる。
【００３５】
一方、段階Ｓ１００では、音響機器３００の音響特性以外にも音響データやマルチメディアデータのオーディオ部分が出力される空間に対する空間特性をさらに格納することができる。即ち、同一の音響データを同一の音響機器３００を用いて出力しても、野外、部屋の中、防音施設が整っている空間、自動車の中などの音響が出力される空間の大きさや内部構造物などの空間特性によって使用者に聞こえる音は互いに異なる場合もある。よって、段階Ｓ１００では、サービス提供サーバ１００が空間特性による音響特性をデータベース１２０に更に格納することにより、空間特性を反映できるようにすることができる。
【００３６】
段階Ｓ２００では、サービス提供サーバ１００がスマート機器２００から音響機器３００の情報の入力を受けることができる。音響機器３００は、スマート機器に内蔵されたスピーカ３００ａ、イヤホン３００ｂ、ヘッドホン３００ｃ、または外部スピーカ３００ｄのうち、少なくとも一つ以上を含むことができる。
例えば、スマート機器２００には外部へ音が出力されるスピーカ３００ａが内蔵されているので、スマート機器２００の情報の入力を受けることができ、スマート機器２００にイヤホン３００ｂ、ヘッドホン３００ｃ、または外部スピーカ３００ｄなどを連結して使用することができるので、このような音響機器３００に対する情報も入力を受けることができる。
【００３７】
一方、段階Ｓ２００で入力受ける音響機器３００の情報は、音響機器３００の製造社及び製品名であり得る。即ち、段階Ｓ２００では、音響機器３００の詳細な情報ではなく、製造社と製品名のように音響機器３００を区別できる程度の情報だけ入力を受けることもできる。段階Ｓ２００の細部的な流れについては後ほど図４を参照して詳細に説明する。
【００３８】
段階Ｓ３００では、サービス提供サーバ１００が入力を受けた音響機器３００の音響特性を検索することができる。段階Ｓ３００はサービス提供サーバ１００の検索部１３０で行うことができ、段階Ｓ１００でデータベース１２０に格納した情報を用いて該当音響機器３００の音響特性を検索することができる。実施例によっては、段階Ｓ３００で音響機器３００の音響特性だけでなく、音響が出力される空間の空間特性も検索できる。
【００３９】
段階Ｓ４００では、サービス提供サーバ１００がスマート機器２００から音響設定情報の入力を受けることができる。音響設定情報は、使用者が望む音色で音楽を聞くために入力するものであって、使用者の好みによって低音を強くするとか、高音を弱くするなどの多様な設定をすることができる。
例えば、段階Ｓ４００では、サービス提供サーバ１００がスマート機器２００に周波数領域別に音響調節が可能とし、多様な効果が追加できるようにアプリケーションプログラムを用いてインタフェースを提供することができる。使用者は、使用者が望む通り音響調節を通じて音響設定情報をサービス提供サーバ１００に入力することにより、選好する音色または他の製造社の高級型製品の音に似るように具現した音響データまたはマルチメディアデータのオーディオ部分を聴取することができる。
【００４０】
一方、サービス提供サーバ１００は少なくとも一つ以上の予め定められた音響設定情報を提供し、使用者の音響設定情報の入力を容易にすることができる。即ち、クラシック音楽を聞く際のお勧めの音響設定情報、映画の鑑賞の際のお勧めの音響設定情報などを予め格納しておいて使用者に提供することにより、使用者は予め定められた音響設定情報のうち、いずれか一つを選択して音響設定情報を入力することもできる。
【００４１】
段階Ｓ５００では、サービス提供サーバ１００が音響特性により補償信号をスマート機器２００へ転送することができる。即ち、段階Ｓ３００で検索した音響特性によって補償信号生成部１４０で補償信号を生成してスマート機器２００へ転送することができる。このとき、段階Ｓ５００では、段階Ｓ４００でスマート機器２００から音響設定情報の入力を受けた場合には、音響特性及び音響設定情報により補償信号を生成してスマート機器２００に転送することができる。
【００４２】
段階Ｓ５００で転送した補償信号の転送を受けたスマート機器２００は、補償信号によって音響機器３００の出力変数を補償することにより、イコライジングを行うことができる。
一方、スマート機器２００は音響データの出力時、音響機器３００の音響特性によってイコライジングされた音響の特性をスマート機器２００のディスプレイ部に表示することにより、使用者が視覚的に補償を確認するようにして満足度を向上させることができる。
【００４３】
図４は、本発明の一実施例によるスマート機器２００を用いた音響機器３００の特性に対する補償サービスの提供方法において、段階Ｓ２００の細部的な流れを示した図面である。
図４に示されるように、本発明の一実施例によるスマート機器２００を用いた音響機器３００の特性に対する補償サービス提供方法の段階Ｓ２００は、スマート機器２００に音響機器３００のリストを転送する段階Ｓ２１０及びスマート機器２００からリストのうち少なくともいずれか一つを入力受ける段階Ｓ２２０を含めて具現することができる。
【００４４】
段階２１０では、サービス提供サーバ１００がスマート機器２００に音響機器３００のリストを転送することができる。即ち、サービス提供サーバ１００は使用者の入力を助けるためにデータベース１２０に音響特性が格納されている音響機器３００のリストを提供することができる。
また、実施例によっては、スマート機器２００にインストールされた音響機器３００の特性に対する補償を行うためのアプリケーションプログラムを実行すると、スマート機器に内蔵されたスピーカ３００ａ及びスマート機器２００と連結されたイヤホン３００ｂ、ヘッドホン３００ｃ、または外部スピーカ３００ｄなどの音響機器３００が自動認識されるようにすることにより、自動認識された音響機器３００のリストをスマート機器２００に出力することもできる。
【００４５】
段階Ｓ２２０では、サービス提供サーバ１００がスマート機器２００からリストのうち少なくともいずれか一つの入力を受けることができる。即ち、段階Ｓ２１０でサービス提供サーバ１００が転送した音響機器３００リストから、使用者が使用している音響機器３００の選択の入力を受けることができ、使用者は多様な音響機器３００を使用することもできるので、段階Ｓ２２０で入力受ける音響機器３００は複数であり得る。
段階Ｓ２２０でスマート機器２００から複数の音響機器３００の入力を受けた場合には、段階Ｓ５００で複数の補償信号をスマート機器２００に転送することにより、スマート機器に内蔵されたスピーカ３００ａで出力するときやイヤホン３００ｂで出力するときなど、出力される音響機器３００によって互いに異なる補償信号を使用するようにすることもできる。
【００４６】
図５は、本発明の一実施例によるスマート機器２００を用いた音響機器３００の特性に対する補償サービスの提供方法において、段階Ｓ２００が行われるスマート機器２００を示した図面である。
例えば、図５に示されるように、スマート機器２００は、アップル社のアイホン４（「Ａｐｐｌｅ(登録商標)  ｉＰＨＯＮＥ４」）であって、段階Ｓ３００及び段階Ｓ５００、該当スマート機器に内蔵されたスピーカ３００ａの音響特性を検索して補償信号を転送することになる。その他にも、イヤホン３００ｂやヘッドホン３００ｃ、外部スピーカ３００ｄなどは、スマート機器２００に連結されない場合もあるので、直接選択できるように製造社とモデル名などをリストとして提供することができる。
【００４７】
図６は、本発明の一実施例によるスマート機器２００を用いた音響機器３００の特性に対する補償サービスの提供方法において、補償信号により音響データが出力されるスマート機器２００を示した図面である。
即ち、図５に示されるように、サービス提供サーバ１００は音響機器３００の情報の入力を受け音響特性を検索し、音響特性による補償信号をスマート機器２００に転送することにより、スマート機器２００は補償信号によって音響機器３００の出力変数を補償して音響を出力することができ、図６に示されるように、変化された出力変数などをスマート機器２００のディスプレイ部に表示することができる。実施例によっては、補償信号によって補償された出力変数はテキストだけでなく、イメージ、アニメーションなどで多様に表示できる。
【００４８】
以上説明した本発明は、本発明の属する技術分野における通常の知識を有する者によって多様な変形または応用が可能であり、本発明に係る技術的思想の範囲は下記の特許請求の範囲によって定められるべきである。
【符号の説明】
【００４９】
１００：サービス提供サーバ 
１１０：送受信部
１２０：データベース
１３０：検索部
１４０：補償信号生成部
２００：スマート機器
３００：音響機器
３００ａ：スマート機器に内蔵されたスピーカ
３００ｂ：イヤホン
３００ｃ：ヘッドホン
３００ｄ：外部スピーカ
Ｓ１００：音響機器による音響特性をデータベースに格納する段階
Ｓ２００：スマート機器から音響機器の情報の入力を受ける段階
Ｓ２１０：スマート機器に音響機器のリストを転送する段階
Ｓ２２０：スマート機器からリストのうち少なくとも一つの入力を受ける段階
Ｓ３００：入力を受けた音響機器の音響特性を検索する段階
Ｓ４００：スマート機器から音響設定情報の入力を受ける段階
Ｓ５００：音響特性による補償信号をスマート機器に転送する段階
【図１】
0005969034.tif 000002
【図２】
0005969034.tif 000003
【図３】
0005969034.tif 000004
【図４】
0005969034.tif 000005
【図５】
0005969034.tif 000006
【図６】
0005969034.tif 000007